(57)【要約】  【課題】貯氷された氷の使用頻度が多い場合に、迅速に氷を製氷するための製氷時間の短縮を図り、タイムリーな氷を供給することができる自動製氷装置を備えた冷蔵庫とその制御方法を提供する。  【解決手段】ドア開閉検知手段３９およびドア開閉カウンタ４０および第３タイマ４１および連続運転判定手段４２により前記貯氷箱を備えた前記冷凍室６または前記貯蔵室の扉を一定時間のうち一定回数以上開閉させた場合、前記圧縮機１４を庫内温度に関係無く連続して運転させる手段を備えたことにより、迅速に氷を製氷するための製氷時間の短縮となり、タイムリーな氷を供給することができる自動製氷装置を備えた冷蔵庫とその制御方法となる。【選択図】図１
2006023042.tif 000002
【特許請求の範囲】
【請求項１】
外箱と内箱間に断熱材を充墳してなる断熱箱体の庫内を断熱仕切体により上下に区画して上部に冷蔵室と、中部に複数の貯蔵室と、下部に冷凍室等とが設けられ、庫内背面に冷機を生成する冷却器と、生成した冷機を送風する送風機を備え前記断熱箱体の底部に圧縮機を配置するとともに、前記冷蔵室内に製氷用水を貯蔵する給水タンクと、駆動部と、水受皿部とで構成された給水装置と、前記冷凍室内または前記貯蔵室に配置され、前記給水装置から給水管を経路して、氷を生成する製氷皿と、同製氷皿を左右方向に反転させて離氷する駆動部と、離氷し貯氷した貯氷量を検知する検氷レバーとで構成された製氷ユニットと、同製氷ユニットで製氷した氷を貯氷する貯氷箱からなる自動製氷装置を備えた冷蔵庫において、前記貯氷箱を備えた前記冷凍室または前記貯蔵室の扉を一定時間のうち一定回数以上開閉させた場合、前記圧縮機を庫内温度に関係無く連続して運転させる手段を備えたことを特徴とする冷蔵庫。
【請求項２】
前記貯氷箱を備えた前記冷凍室または前記貯蔵室の扉を一定時間のうち一定回数以上開閉させた場合、前記圧縮機の運転周波数を通常運転周波数よりも高い周波数で運転する手段を備えたことを特徴とする請求項１記載の冷蔵庫。
【請求項３】
前記貯氷箱を備えた前記冷凍室または前記貯蔵室の扉を一定時間のうち一定回数以上開閉させた場合、冷気を循環させる前記送風機を前記圧縮機の運転状況または庫内温度に関係無く連続して運転させる手段を備えたことを特徴とする請求項１記載の冷蔵庫。
【請求項４】
前記貯氷箱を備えた前記冷凍室または前記貯蔵室の扉を一定時間のうち一定回数以上開閉させた場合、冷気を循環させる前記送風機の回転数を通常回転数よりも高い回転数で運転する手段を備えたことを特徴とする請求項１記載の冷蔵庫。
【請求項５】
前記貯氷箱を備えた前記冷凍室または前記貯蔵室の扉を一定時間のうち一定回数以上開閉させた場合、氷を前記貯氷箱に離氷させた後再び氷を前記貯氷箱に離氷させる時間を通常の時間よりも短い時間で再び氷を前記貯氷箱に離氷させる手段を備えたことを特徴とする請求項１記載の冷蔵庫。
【発明の詳細な説明】
【技術分野】
【０００１】
本発明は、冷蔵庫の自動製氷装置を備えた冷蔵庫とその制御方法に係り、より詳細には、貯氷量が少ない場合に、迅速に製氷するための製氷手段として、前記圧縮機の運転状態および運転周波数または前記送風機の運転状態および回転数または前記貯氷箱に離氷させた後再び氷を前記貯氷箱に離氷させる時間の短縮の制御方法に関するものである。
【背景技術】
【０００２】
従来、この種の自動製氷装置を備えた冷蔵庫は既に開示されている（例えば特許文献１参照）。
【０００３】
図１１は、特許文献１に記載された従来の自動製氷機付き冷蔵庫を示すものである。図１１に示すように、冷蔵庫本体１は外箱２、内箱３、及び前記外箱２と前記内箱３間に充填された断熱材４より構成されている。区画壁５は前記冷蔵庫本体１の内部を上下に区画し、最下部に冷凍室６、最上部に冷蔵室７を区画形成している。冷却器８は前記冷凍室６の背面に備え、冷凍サイクルの一部を形成している。送風機９は前記冷却機８で生成した冷気を強制循環させる。庫内温度検出手段１０は前記冷凍室６内に設置された庫内温度検出用サーミスタ１１より庫内温度を検出する手段であり、庫内温度判定手段１２は前記庫内温度検出手段１０の検出した温度が設定温度以上であるかどうかを判定する手段である。圧縮機駆動手段１３は冷凍サイクルの圧縮機１４を動作させる手段である。送風機駆動手段１５は送風機９を駆動させる手段である。
【０００４】
図１４は、従来の自動製氷装置付き冷蔵庫の自動製氷装置斜視図である。また図１５は従来の自動製氷装置付き冷蔵庫の離氷機構透視図である。図１４、図１５において製氷容器１６は家庭用冷蔵庫に付設するような場合には前記冷凍室６の冷機吹き出し口付近にあり、直接エアーにあたるように設置している。製氷温度検出手段１７は前記製氷容器１６の外底面付設した製氷完了検知用サーミスタ１８より温度を検出する手段である。
【０００５】
給水タンク１９は家庭用冷蔵庫に付設するような場合には前記冷蔵室７に設置する。給水ポンプモータ２０は前記給水タンク１９から前記製氷容器１６に水を供給する給水ポンプモータである。離氷機構２１は前記製氷容器１６を回転させて離氷動作を行わせる機構で、前記製氷容器１６を回転させるモータ２２があり、その回転により前記製氷容器１６に捻りを加えて離氷させる機能を持つ。尚、前記離氷機構２１は、プラスチック等で囲まれた製氷ケース２３に構成されている。また、前記製氷容器１６の下には、落下した氷を貯めておく貯氷箱２４が配置されている。また、前記製氷ケース２３からは、前記貯氷箱２４の氷の量を検知する前記製氷ケース２３の一部を支点に前記離氷機構２１及び前記モータ２２に連動して上下に動く検氷レバー２５が前記貯氷箱２４の上に位置している。前記モータ２２が動きだすと前記検氷レバー２５が下がり始め一定時間たつと最も下に下がる。さらに前記モータ２２を動かしていると、前記検氷レバー２５は上がり始め最終的には前期検氷レバー２５は最初の位置に戻る。その前記検氷レバー２５が下がって行く間に障害物に当たると前記検氷レバー２５はその場で止まるが前記モータ２２は続けて動いている。そして前記モータ２２が動き始めて一定時間後前記検氷レバー２５を上げる動作に入った時に連動して前記検氷レバー２５も上がる。その一連の前記検氷レバー２５の動作量で氷の量を検知するマイクロスイッチ等よりなる製氷量検知スイッチ２６が前記製氷ケース２３内にある。
【０００６】
また、製氷温度判定手段２７は前記製氷検出温度手段１７の検出した温度が設定温度以下であるかを判断する手段である。離氷判定手段２８は前記モータ２２の回転により離氷機構２１が前記製氷容器１６に捻りを加えて離氷させ元の水平位置に戻す一連の動作が終了したかどうかを判断する判定手段である。製氷量手段２９は前記製氷量スイッチ２６の状態を検出する手段で、製氷量判定手段３０は前記製氷量検出手段２９より前記貯氷箱２４が満氷であるかを判断する手段である。モータ駆動手段３１は前記製氷温度判定手段２７等の信号より前記モータ２２を駆動させる手段である。給水ポンプモータ駆動手段３２は前記給水ポンプモータ２０を動作させる手段である。給水タイマ３３は前記給水ポンプモータ２０が動作している時間をカウントするタイマで、タイムアップも判断する。第１タイマ３４は製氷量判断手段３０の状態が満氷で前記モータ駆動手段３１が前記モータ２２を停止したときより時間をカウントするタイマで、タイムアップも判断する。第２タイマ３５は前記モータ２２が動き出した時から時間をカウントするタイマで、タイムアップも判断する。
【０００７】
以上のように構成された自動製氷機付き冷蔵庫の、まず、圧縮機１４の動作について、図１２のフローチャートを参照しながら以下その動作を説明する。
【０００８】
最初にステップ１で庫内温度検出手段１０が冷凍室内６に設置された庫内温度検出用サーミスタ１１より庫内温度を検出する。次に、ステップ２で庫内温度判定手段１２は庫内温度検出手段１０が検出した温度が設定温度より高いか低いかを判断し、高ければステップ３で圧縮機駆動手段１３が圧縮機１４を動作させステップ４に進む。ステップ４で送風機駆動手段１５が送風機９を動作させステップ１に戻る。しかし、ステップ２で庫内温度が低いと判断すればステップ５に進み圧縮機駆動手段１３で圧縮機１４を停止させステップ６に進む。ステップ６で送風機駆動手段１５が送風機９を停止させステップ１に戻る。このサイクルを繰り返し庫内冷却を行っている。
【０００９】
次に自動製氷装置について、図１３のフローチャートを参照しながら以下その動作を説明する。
【００１０】
まず最初にステップ１０１で製氷温度検出手段１７が製氷容器１６の外底面に付設した製氷完了検知用のサーミスタ１８より温度を検出する。次にステップ１０２で製氷温度判定手段２７は検出した温度が設定温度より高いか低いかを判断し、高ければステップ１０１に戻り、低ければ製氷が完了したと判断し、ステップ１０３に進みモータ駆動手段３１がモータ２２を動作させ、次のステップ１０４で第２タイマ３５をスタートさせる。
【００１１】
ステップ１０５では第２タイマ３５が一定時間カウントしたかどうかを判断し、タイムアップするまで待機している。モータ２２はこの間も動いておりその動作は、検氷レバー２５が最初に下がり貯氷箱２４の氷に当たり停止もしくは何も当たらずに最下点まで到達し次に上がる動作をしている。製氷量検知スイッチ２６は検氷レバー２５の動作量で氷の量を判断し、氷が多い時はＯＦＦそして氷の少ない時はＯＮの状態になっている。
【００１２】
検氷レバー２４の一連の動作が終了すると第２タイマ３５の時間カウントも終了しステップ１０６に進む。ステップ１０６では製氷量検知手段２９が製氷量検知スイッチ２６の状態を検出し、次のステップ１０７で製氷量判断手段３０が、製氷量が少ないと判断すればステップ１０８へと進み離氷動作を行う。
【００１３】
ステップ１０８で離氷判定手段２８は、モータ２２により離氷機構２１が製氷容器１６を回転させて元の水平位置に戻す一連の動作が終了したかどうかを判断し、終了したと判断すればステップ１０９に進み、モータ駆動手段３１がモータ２２停止させる。
【００１４】
ステップ１１０では給水ポンプモータ駆動手段３２が空の製氷容器１６に水を給水すべく給水ポンプモータ２０を動作させるとともにステップ１１１で給水タイマ３３をスタートさせる。ステップ１１２で給水タイマ３３が一定時間カウントしたかどうかを判断し、タイムアップするまで給水ポンプモータ２０を動作させる。
【００１５】
ステップ１１２で給水タイマ３３がタイムアップすると、次のステップ１１３で給水ポンプモータ駆動手段３２は給水ポンプモータ２０を停止させる。以上で給水が完了し製氷サイクルが終了したので、再度ステップ１０１に戻り、以降このサイクルを繰り返し自動的に製氷を行う。ステップ１０７で製氷量判定手段２９が製氷量が多いと判断するとステップ１１４ではモータ駆動手段３１がモータ２２を停止させ、ステップ１１５で第１タイマ３４をスタートさせる。
【００１６】
ステップ１１６で第１タイマ３４が一定時間カウントしたかどうかを判断し、タイムアップするまで待機する。ステップ１１６で第１タイマ３４がタイマアップするとステップ１０３に戻り再度検氷動作を行う。
【特許文献１】特開２００２−３４０４５５号公報
【発明の開示】
【発明が解決しようとする課題】
【００１７】
しかしながら、上記従来の冷蔵庫の自動製氷装置は、冬季のような氷の消費量が少なく、氷の貯蔵に余裕がある場合は問題無いが、氷の使用量が増加する夏季においても通常どおりの氷の供給しか行なわないため、氷の不足を発生させてしまい、迅速に製氷を行なうにあたっては、図１６のブロック図で示す様に、外部から急凍釦３６または速氷釦３７等での手動スイッチ操作で、制御装置３８への指示を行なっていた。
【００１８】
また、氷不足を補う為には、ユーザーで前もって氷不足を予測し、ユーザーで押し釦等の手動スイッチ操作が必要となり、タイムリーな氷の供給になっていないという問題を有していた。
【００１９】
本発明は上記従来の課題を解決するもので、貯氷された氷の使用頻度が多い場合に、迅速に氷を製氷するための製氷時間の短縮を図り、タイムリーな氷を供給することができる自動製氷装置を備えた冷蔵庫を提供するものである。
【課題を解決するための手段】
【００２０】
上記従来の課題を解決するために、本発明の冷蔵庫は外箱と内箱間に断熱材を充墳してなる断熱箱体の庫内を断熱仕切体により上下に区画して上部に冷蔵室と、中部に複数の貯蔵室と、下部に冷凍室等とが設けられ、庫内背面に冷機を生成する冷却器と、生成した冷機を送風する送風機を備え前記断熱箱体の底部に圧縮機を配置するとともに、前記冷蔵室内に製氷用水を貯蔵する給水タンクと、駆動部と、水受皿部とで構成された給水装置と、前記冷凍室内または前記貯蔵室に配置され、前記給水装置から給水管を経路して、氷を生成する製氷皿と、同製氷皿を左右方向に反転させて離氷する駆動部と、離氷し貯氷した貯氷量を検知する検氷レバーとで構成された製氷ユニットと、同製氷ユニットで製氷した氷を貯氷する貯氷箱からなる自動製氷装置を備えた冷蔵庫において、前記貯氷箱を備えた前記冷凍室または前記貯蔵室の扉を一定時間のうち一定回数以上開閉させた場合、前記圧縮機を庫内温度に関係無く連続して運転させる手段を備えたことを特徴としたものである。
【００２１】
これによって、ユーザーが貯氷された氷の使用頻度が多い場合に、迅速に氷を製氷するためにユーザーで前もって氷不足を予測するとともに、ユーザーで押し釦等の手動スイッチ操作を行なうことなくタイムリーな氷を供給することができる。
【発明の効果】
【００２２】
本発明の冷蔵庫は、貯氷量が少ない場合に迅速に氷を製氷するための製氷時間の短縮を図り、タイムリーな氷を供給することができる自動製氷装置を備えた冷蔵庫を提供できる。
【発明を実施するための最良の形態】
【００２３】
請求項１に記載の発明は、外箱と内箱間に断熱材を充墳してなる断熱箱体の庫内を断熱仕切体により上下に区画して上部に冷蔵室と、中部に複数の貯蔵室と、下部に冷凍室等とが設けられ、庫内背面に冷機を生成する冷却器と、生成した冷機を送風する送風機を備え前記断熱箱体の底部に圧縮機を配置するとともに、前記冷蔵室内に製氷用水を貯蔵する給水タンクと、駆動部と、水受皿部とで構成された給水装置と、前記冷凍室内または前記貯蔵室に配置され、前記給水装置から給水管を経路して、氷を生成する製氷皿と、同製氷皿を左右方向に反転させて離氷する駆動部と、離氷し貯氷した貯氷量を検知する検氷レバーとで構成された製氷ユニットと、同製氷ユニットで製氷した氷を貯氷する貯氷箱からなる自動製氷装置を備えた冷蔵庫において、前記貯氷箱を備えた前記冷凍室または前記貯蔵室の扉を一定時間のうち一定回数以上開閉させた場合、前記圧縮機を庫内温度に関係無く連続して運転させる手段を備えたことにより、迅速に氷を製氷するための製氷時間の短縮となり、タイムリーな氷を供給することができる自動製氷装置を備えた冷蔵庫とその制御方法となる。
【００２４】
請求項２に記載の発明は、請求項１に記載の発明の冷蔵庫に、前記貯氷箱を備えた前記冷凍室または前記貯蔵室の扉を一定時間のうち一定回数以上開閉させた場合、前記圧縮機の運転周波数を通常運転周波数よりも高い周波数で運転する手段を備えたことにより、迅速に氷を製氷するための製氷時間の短縮となり、タイムリーな氷を供給することができる自動製氷装置を備えた冷蔵庫とその制御方法となる。
【００２５】
請求項３に記載の発明は、請求項１に記載の発明の冷蔵庫に、前記貯氷箱を備えた前記冷凍室または前記貯蔵室の扉を一定時間のうち一定回数以上開閉させた場合、冷気を循環させる前記送風機を前記圧縮機の運転状況または庫内温度に関係無く連続して運転させる手段を備えたことにより、迅速に氷を製氷するための製氷時間の短縮となり、タイムリーな氷を供給することができる自動製氷装置を備えた冷蔵庫とその制御方法となる。
【００２６】
請求項４に記載の発明は、請求項１に記載の発明の冷蔵庫に、前記貯氷箱を備えた前記冷凍室または前記貯蔵室の扉を一定時間のうち一定回数以上開閉させた場合、冷気を循環させる前記送風機の回転数を通常回転数よりも高い回転数で運転する手段を備えたことにより、迅速に氷を製氷するための製氷時間の短縮となり、タイムリーな氷を供給することができる自動製氷装置を備えた冷蔵庫とその制御方法となる。
【００２７】
請求項５に記載の発明は、請求項１に記載の発明の冷蔵庫に、前記貯氷箱を備えた前記冷凍室または前記貯蔵室の扉を一定時間のうち一定回数以上開閉させた場合、氷を前記貯氷箱に離氷させた後再び氷を前記貯氷箱に離氷させる時間を通常の時間よりも短い時間で再び氷を前記貯氷箱に離氷させる手段を備えたことにより、迅速に氷を製氷するための製氷時間の短縮となり、タイムリーな氷を供給することができる自動製氷装置を備えた冷蔵庫とその制御方法となる。
【００２８】
以下、本発明の実施の形態について、図面を参照しながら説明するが、従来例または先に説明した実施の形態と同一構成について同一符号を付して、その詳細な説明は省略する。なお、この実施の形態によってこの発明が限定されものではない。
【００２９】
（実施の形態１）
図１は本発明の実施の形態１における冷蔵庫のブロック図である。図２は、同実施の形態を示すフローチャートである。
【００３０】
図１において、ドア開閉検知手段３９は前記冷凍室６等の貯氷室のドアを開または閉した場合に検知する手段であり、ドア開閉カウンタ４０は前記ドア開閉検知手段３９によって検知したドアの開閉回数をカウントするドア開閉カウンタであり、第３タイマ４１はドア開閉カウンタ４０によるドア開閉の回数カウントを行なう一定時間をカウントするタイマでありタイムアップも判断し、連続運転判定手段４２は第３タイマ４１による一定時間カウント中にドア開閉カウンタ４０によってカウントされたドア開閉回数によって前記圧縮機１４を圧縮機駆動手段１３に通常運転させるかまたは連続運転させるかを判定する連続運転判定手段１である。
【００３１】
以上のように構成された冷蔵庫について、以下その動作、作用を図２のフローチャートをもとにして説明する。まず、ステップ２０１ではドア開閉検知手段３９により冷凍室６等の貯氷室ドア開閉の有無を検知しステップ２０２へ進む。ステップ２０２では第３タイマ４１をスタートさせステップ２０３へ進む。ステップ２０３ではドア開閉カウンタ４０のカウンタをドア開閉検知手段３９でドア開閉があればカウントアップしステップ２０４へ進む。ステップ２０４では連続運転判定手段４２によりドア開閉カウンタ４０が任意の一定回数以上であるかどうかを判断し任意の一定回数以上であればステップ２０５へ進み、任意の一定回数未満であればステップ１へ進む。ステップ２０５では第３タイマ４１がタイムアップしたかを判断しタイムアップしていればステップ１へ進み、タイムアップしていなければステップ２０６へ進む。ステップ２０６では圧縮機駆動手段１３が圧縮機１４を動作させステップ２０７へ進む。ステップ２０７では庫内温度検出手段１０が冷凍室内６に設置された庫内温度検出用サーミスタ１１より庫内温度を検出し次ステップへ進む。ステップ２０８では庫内温度判定手段１２は庫内温度検出手段１０が検出した温度が設定温度より高いか低いかを判断し、高ければステップ２０８で送風機駆動手段１５が送風機９を動作させステップ２０１に戻る。しかし、ステップ２０８で庫内温度が低いと判断すればステップ２１０に進み送風機駆動手段１５が送風機９を停止させステップ２０１に戻る。ステップ１からステップ３およびステップ１からステップ５は従来通りである。ステップ４では送風機駆動手段１５が送風機９を動作させステップ２０１に戻る。またステップ６では送風機駆動手段１５が送風機９を停止させステップ２０１に戻る。
【００３２】
以上のように本実施の形態の冷蔵庫は、ドア開閉検知手段３９およびドア開閉カウンタ４０および第３タイマ４１および連続運転判定手段４２により前記貯氷箱を備えた前記冷凍室６または前記貯蔵室の扉を一定時間のうち一定回数以上開閉させた場合、前記圧縮機１４を庫内温度に関係無く連続して運転させる手段を備えたことにより、迅速に氷を製氷するための製氷時間の短縮となり、タイムリーな氷を供給することができる自動製氷装置を備えた冷蔵庫とその制御方法となる。
【００３３】
（実施の形態２）
図３は本発明の実施の形態２における冷蔵庫のブロック図である。図４は、同実施の形態を示すフローチャートである。
【００３４】
図３において、圧縮機周波数判定手段４３は連続運転判定手段４２によって前記圧縮機１４を圧縮機駆動手段１３に通常周波数で運転させるかまたは高周波数で運転させるかを判定する圧縮機周波数判定手段である。本実施の形態は実施の形態１による冷蔵庫に圧縮機周波数判定手段４３を設けたものである。
【００３５】
以上のように構成された冷蔵庫について、以下その動作、作用を図４のフローチャートをもとにして説明する。まず、ステップ２０１からステップ２０３まで実施の形態１通りである。ステップ２０４では連続運転判定手段４２によりドア開閉カウンタ４０が任意の一定回数以上であるかどうかを判断し任意の一定回数以上であればステップ２０５へ進み、任意の一定回数未満であればステップ３０１へ進む。ステップ２０５では第３タイマ４１がタイムアップしたかを判断しタイムアップしていればステップ３０１へ進み、タイムアップしていなければステップ３０２へ進む。ステップ３０２では圧縮機周波数判定手段４３により圧縮機１４の運転周波数を通常周波数よりも高い周波数で圧縮機駆動手段１３により駆動させるように設定しステップ２０６へ進む。ステップ２０６からステップ２１０は実施の形態１通りである。ステップ３０１では圧縮機周波数判定手段４３により圧縮機１４の運転周波数を通常周波数で圧縮機駆動手段１３により駆動させるように設定しステップ１へ進む。ステップ１からステップ６は実施の形態１通りである。
【００３６】
以上のように本実施の形態の冷蔵庫は、圧縮機周波数判定手段４３により前記貯氷箱を備えた前記冷凍室６または前記貯蔵室の扉を一定時間のうち一定回数以上開閉させた場合、前記圧縮機１４を庫内温度に関係無く連続して運転させ、さらに圧縮機１４を通常よりも高い周波数で運転させる手段を備えたことにより、迅速に氷を製氷するための製氷時間の短縮となり、タイムリーな氷を供給することができる自動製氷装置を備えた冷蔵庫とその制御方法となる。
【００３７】
（実施の形態３）
図５は本発明の実施の形態３における冷蔵庫のブロック図である。図６は、同実施の形態を示すフローチャートである。
【００３８】
図５において、連続運転判定手段４４は第３タイマ４１による一定時間カウント中にドア開閉カウンタ４０によってカウントされたドア開閉回数によって前記送風機９を送風機駆動手段１５に連続運転させるか通常運転させるかを判定する連続運転判定手段２である。本実施の形態は実施の形態１による冷蔵庫に連続運転判定手段４４を設けたものである。
【００３９】
以上のように構成された冷蔵庫について、以下その動作、作用を図６のフローチャートをもとにして説明する。まず、ステップ２０１からステップ２０４まで実施の形態１通りである。ステップ２０５では第３タイマ４１がタイムアップしたかを判断しタイムアップしていればステップ１へ進み、タイムアップしていなければステップ４０１へ進む。ステップ４０１では送風機駆動手段１５が送風機９を動作させステップ４０２へ進む。ステップ４０２では庫内温度検出手段１０が冷凍室内６に設置された庫内温度検出用サーミスタ１１より庫内温度を検出し次ステップへ進む。ステップ４０３では庫内温度判定手段１２は庫内温度検出手段１０が検出した温度が設定温度より高いか低いかを判断し、高ければステップ２０８で圧縮機駆動手段１３が圧縮機１４を動作させステップ２０１に戻る。しかし、ステップ４０３で庫内温度が低いと判断すればステップ４０５に進み圧縮機駆動手段１３が圧縮機１４を停止させステップ２０１に戻る。ステップ１からステップ６は実施の形態１通りである。
【００４０】
以上のように本実施の形態の冷蔵庫は、ドア開閉検知手段３９およびドア開閉カウンタ４０および第３タイマ４１および連続運転判定手段４４により前記貯氷箱を備えた前記冷凍室６または前記貯蔵室の扉を一定時間のうち一定回数以上開閉させた場合、前記送風機９を庫内温度に関係無く連続して運転させる手段を備えたことにより、迅速に氷を製氷するための製氷時間の短縮となり、タイムリーな氷を供給することができる自動製氷装置を備えた冷蔵庫とその制御方法となる。
【００４１】
（実施の形態４）
図７は本発明の実施の形態４における冷蔵庫のブロック図である。図８は、同実施の形態を示すフローチャートである。
【００４２】
図７において、送風機回転数判定手段４５は連続運転判定手段４４によって前記送風機９を送風機駆動手段１５に通常回転数で運転させるかまたは高回転数で運転させるかを判定する送風機回転数判定手段である。本実施の形態は実施の形態３による冷蔵庫に送風機回転数判定手段４５を設けたものである。
【００４３】
以上のように構成された冷蔵庫について、以下その動作、作用を図８のフローチャートをもとにして説明する。まず、ステップ２０１からステップ２０３まで実施の形態３通りである。ステップ２０４では連続運転判定手段４４によりドア開閉カウンタ４０が任意の一定回数以上であるかどうかを判断し任意の一定回数以上であればステップ２０５へ進み、任意の一定回数未満であればステップ５０１へ進む。ステップ２０５では第３タイマ４１がタイムアップしたかを判断しタイムアップしていればステップ５０１へ進み、タイムアップしていなければステップ５０２へ進む。ステップ５０２では送風機回転数判定手段４５により送風機９の運転回転数を通常回転数よりも高い回転数で送風機駆動手段１５により駆動させるように設定しステップ４０１へ進む。ステップ４０１からステップ４０５は実施の形態３通りである。ステップ５０１では送風機回転数判定手段４５により送風機９の運転回転数を通常回転数で送風機駆動手段１５により駆動させるように設定しステップ１へ進む。ステップ１からステップ６は実施の形態３通りである。
【００４４】
以上のように本実施の形態の冷蔵庫は、送風機回転数判定手段４５により前記貯氷箱を備えた前記冷凍室６または前記貯蔵室の扉を一定時間のうち一定回数以上開閉させた場合、前記送風機９を庫内温度に関係無く連続して運転させ、さらに送風機９を通常よりも高い回転数で運転させる手段を備えたことにより、迅速に氷を製氷するための製氷時間の短縮となり、タイムリーな氷を供給することができる自動製氷装置を備えた冷蔵庫とその制御方法となる。
【００４５】
（実施の形態５）
図９は本発明の実施の形態３における冷蔵庫のブロック図である。図１０は、同実施の形態を示すフローチャートである。
【００４６】
図９において、連続運転判定手段４６は第３タイマ４１による一定時間カウント中にドア開閉カウンタ４０によってカウントされたドア開閉回数によって、製氷量判断手段３０の状態が満氷で前記モータ駆動手段３１が前記モータ２２を停止したときより時間を第１タイマ３４でカウントおよびタイムアップさせるか、または第１タイマ３４よりも短い時間でタイムアップを行なう第４タイマ４７でカウントおよびタイムアップさせるかを判定する連続運転判定手段３である。本実施の形態は実施の形態１による冷蔵庫に連続運転判定手段４６および第４タイマ４７を設けたものである。
【００４７】
以上のように構成された冷蔵庫について、以下その動作、作用を図１０のフローチャートをもとにして説明する。まず、ステップ１０１からステップ１１４まで従来通りである。
【００４８】
ステップ１１４ではモータ駆動手段３１がモータ２２を停止させステップ６０１へ進む。ステップ６０１ではドア開閉検知手段３９により冷凍室６等の貯氷室ドア開閉の有無を検知しステップ６０２へ進む。ステップ６０２では第３タイマ４１をスタートさせステップ６０３へ進む。ステップ６０３ではドア開閉カウンタ４０のカウンタをドア開閉検知手段３９でドア開閉があればカウントアップしステップ６０４へ進む。ステップ６０４では連続運転判定手段４２によりドア開閉カウンタ４０が任意の一定回数以上であるかどうかを判断し任意の一定回数以上であればステップ６０５へ進み、任意の一定回数未満であればステップ１１５へ進む。ステップ６０５では第３タイマ４１がタイムアップしたかを判断しタイムアップしていればステップ１１５へ進み、タイムアップしていなければステップ６０６へ進む。ステップ６０６で第４タイマ４７をスタートさせる。ステップ６０７で第４タイマ４７が一定時間カウントしたかどうかを判断し、タイムアップするまで待機する。ステップ６０７で第４タイマ４７がタイマアップするとステップ１０３に戻り再度検氷動作を行う。ステップ１１５からステップ１１６は従来通りである。
【００４９】
以上のように本実施の形態の冷蔵庫は、連続運転判定手段４７および第４タイマ４７により前記貯氷箱を備えた前記冷凍室６または前記貯蔵室の扉を一定時間のうち一定回数以上開閉させた場合、通常よりも短い周期で離氷および検氷させる手段を備えたことにより、迅速に氷を製氷するための製氷時間の短縮となり、タイムリーな氷を供給することができる自動製氷装置を備えた冷蔵庫とその制御方法となる。
【産業上の利用可能性】
【００５０】
以上のように本発明にかかる冷蔵庫は、一定時間内でのドア開閉の回数により使用頻度を検出することで、冷蔵庫内に設置する圧縮機や送風機および自動製氷装置を外部からの釦操作を行なうことなく運転率向上を図ることが可能なので、ドア開閉の頻度が時期により異なるとともに使用頻度が高い場合に駆動系統の運転率の向上を要する家電製品等の用途にも利用できる。
【図面の簡単な説明】
【００５１】
【図１】本発明による冷蔵庫の実施の形態１のブロック図
【図２】同実施の形態の冷蔵庫の動作を示す動作を示すフローチャート
【図３】本発明による冷蔵庫の実施の形態２のブロック図
【図４】同実施の形態の冷蔵庫の動作を示す動作を示すフローチャート
【図５】本発明による冷蔵庫の実施の形態３のブロック図
【図６】同実施の形態の冷蔵庫の動作を示す動作を示すフローチャート
【図７】本発明による冷蔵庫の実施の形態４のブロック図
【図８】同実施の形態の冷蔵庫の動作を示す動作を示すフローチャート
【図９】本発明による冷蔵庫の実施の形態５のブロック図
【図１０】同実施の形態の冷蔵庫の動作を示す動作を示すフローチャート
【図１１】従来の冷蔵庫のブロック図
【図１２】従来の冷蔵庫の動作を示す動作を示すフローチャート
【図１３】従来の冷蔵庫の自動製氷装置の動作を示す動作を示すフローチャート
【図１４】従来の自動製氷装置付き冷蔵庫の自動製氷装置斜視図
【図１５】従来の自動製氷装置付き冷蔵庫の離氷機構の透視図
【図１６】従来の冷蔵庫の制御ブロック図
【符号の説明】
【００５２】
１    冷蔵庫本体
２    外箱
３    内箱
４    断熱材
５    区画壁
６    冷凍室
７    冷蔵室
８    冷却器
９    送風機
１１  庫内温度検知手段
１４  圧縮機
２４  貯氷箱
【図１】
2006023042.tif 000003
【図２】
2006023042.tif 000004
【図３】
2006023042.tif 000005
【図４】
2006023042.tif 000006
【図５】
2006023042.tif 000007
【図６】
2006023042.tif 000008
【図７】
2006023042.tif 000009
【図８】
2006023042.tif 000010
【図９】
2006023042.tif 000011
【図１０】
2006023042.tif 000012
【図１１】
2006023042.tif 000013
【図１２】
2006023042.tif 000014
【図１３】
2006023042.tif 000015
【図１４】
2006023042.tif 000016
【図１５】
2006023042.tif 000017
【図１６】
2006023042.tif 000018